(57)【要約】【課題】計器本体の設置方向に関係なくＬＣＤ表示器の表示データを見えやすい表示方向に表示できる計器用ＬＣＤ表示装置を提供することである。【解決手段】外部に接続された機器や各種センサを装備した検出部から得られる電気信号をＡ／Ｄ変換するＡ／Ｄ変換部１３と、Ａ／Ｄ変換後のデジタルデータをデジタル表示するＬＣＤ表示器１５と、ＬＣＤ表示器１５に表示する表示データの表示方向を変更する表示方向変換手段１４と、Ａ／Ｄ変換部１３および表示方向変換手段１４を収納しＬＣＤ表示器１５が取り付けられた計器本体１２とを備える。【選択図】図１
2007101825.tif 000002
【特許請求の範囲】
【請求項１】
外部に接続された機器や各種センサを装備した検出部から得られる電気信号に対応したデジタルデータをデジタル表示するＬＣＤ表示器と、ＬＣＤ表示器に表示する表示データの表示方向を変更する表示方向変換手段と、表示方向変換手段を収納しＬＣＤ表示器が取り付けられた計器本体とを備えたことを特徴とする計器用ＬＣＤ表示装置。
【請求項２】
前記ＬＣＤ表示器と同じ面に複数個の押しボタンスイッチを設け、前記表示方向変換手段は、複数個の押しボタンスイッチの操作内容に基づいて、前記ＬＣＤ表示器に表示する表示データの表示方向を四方向に変えることを特徴とする請求項１記載の計器用ＬＣＤ表示装置。
【請求項３】
計器本体に重力センサーを取り付け、前記表示方向変換手段は、取り付けられた重力センサーの検出信号に基づいて前記ＬＣＤ表示器に表示する表示データの表示方向を四方向に変えることを特徴とする請求項１記載の計器用ＬＣＤ表示装置。
【請求項４】
前記ＬＣＤ表示器にタッチパネルを搭載し、前記表示方向変換手段は、前記タッチパネルを四方向のいずれかに向かって指やタッチペンなどでなぞった軌跡に基づいて、前記ＬＣＤ表示器に表示する表示データの表示方向をなぞった方向に変えることを特徴とする請求項１記載の計器用ＬＣＤ表示装置。
【請求項５】
前記ＬＣＤ表示器と同じ面に１個の押しボタンスイッチを有し、前記表示方向変換手段は、押しボタンスイッチが１回押されるたびに前記ＬＣＤ表示器に表示する表示データの表示方向を９０度ごと変えることを特徴とする請求項１記載の計器用ＬＣＤ表示装置。
【請求項６】
前記ＬＣＤ表示器と同じ面の四方に４個の押しボタンスイッチを有し、前記表示方向変換手段は、これら４個の押しボタンスイッチのいずれかが押されたときは、その押された押しボタンスイッチの方向に前記ＬＣＤ表示器に表示する表示データの表示方向を変えることを特徴とする請求項１記載の計器用ＬＣＤ表示装置。
【請求項７】
前記ＬＣＤ表示器または前記計器本体のいずれかにダイヤル式スイッチを搭載し、前記表示方向変換手段は、ダイヤル式スイッチの回動に基づいて、前記ＬＣＤ表示器に表示する表示データの表示方向を四方向のいずれかに変えることを特徴とする請求項１記載の計器用ＬＣＤ表示装置。
【請求項８】
前記ＬＣＤ表示器を前記計器本体に取り付ける際に、前記ＬＣＤ表示器の四方にあるネジ穴のうち向かい合った２箇所でネジ止めし、前記表示方向変換手段は、２カ所のネジ止め部の導通によって生じる電気信号により前記ＬＣＤ表示器に表示する表示データの表示方向を決めることを特徴とする請求項１記載の計器用ＬＣＤ表示装置。
【請求項９】
前記ＬＣＤ表示器および前記計器本体を丸形に形成すると共に、その丸型ＬＣＤ表示器の側面部にスライドスイッチを設け、前記表示方向変換手段は、前記スライドスイッチの回動に基づいて、前記ＬＣＤ表示器に表示する表示データの表示方向を変えることを特徴とする請求項１記載の計器用ＬＣＤ表示装置。
【発明の詳細な説明】
【技術分野】
【０００１】
本発明は、外部に接続された機器や各種センサを装備した検出部から得られる電気信号をＡ／Ｄ変換したデジタルデータをデジタル表示する計器用ＬＣＤ表示装置に関する。
【背景技術】
【０００２】
例えば、プラントの各種機器やプロセス量を検出する各種センサからの電気信号を液晶表示器（ＬＣＤ（Lquid Crystal Display）表示器）に表示する計器用ＬＣＤ表示装置がある。このような計器用ＬＣＤ表示装置では、外部に接続された機器からの計装用統一信号（４〜２０ｍＡ直流電流）や接点信号などの電気信号、各種センサを装備した検出部から得られる電気信号を受け取り、受け取った電気信号をＡ／Ｄ変換器でＡ／Ｄ変換し、Ａ／Ｄ変換後のデジタルデータを測定値や各種パラメータなどとして計器用のＬＣＤ表示器にデジタル表示するようにしている。ＬＣＤ表示器には、モノクロまたはカラーフルドットマトリックスのものがある。
【０００３】
ここで、計器用ＬＣＤ表示装置としては、強誘電性高分子液晶を含む液晶材を電極のついた樹脂製基板で挟持してなる液晶表示素子によって形成され、計器情報を表示する液晶表示部を備え、 安全性、耐衝撃性、メモリー性を有し、素子構成をシンプルにして薄型、軽量化したものがある（例えば、特許文献１参照）。
【特許文献１】特開平５−２６４９７６号公報
【発明の開示】
【発明が解決しようとする課題】
【０００４】
しかし、従来の計器用ＬＣＤ表示装置は、ＬＣＤ表示器に表示する測定値や各種パラメータなどの表示データの表示方向は一定である。すなわち、ＬＣＤ表示器に表示する測定値や各種パラメータなどの表示データの表示方向が一定でかつ変更できないため、計器を例えば測定管路に設置する際に、その設置方向がＬＣＤ表示器の表示方向により限定される。従って、計器を設置する対象システムの配管構造によっては計器を管路に設置できないことがあり、また、設置してもＬＣＤ表示器が水平方向とならずに表示内容が非常に見づらくなる。これは測定管路に設置する計器以外にも同様である。
【０００５】
本発明の目的は、計器本体の設置方向に関係なくＬＣＤ表示器の表示データを見えやすい表示方向に表示できる計器用ＬＣＤ表示装置を提供することである。
【課題を解決するための手段】
【０００６】
本発明の計器用ＬＣＤ表示装置は、外部に接続された機器や各種センサを装備した検出部から得られる電気信号に対応したデジタルデータをデジタル表示するＬＣＤ表示器と、ＬＣＤ表示器に表示する表示データの表示方向を変更する表示方向変換手段と、表示方向変換手段を収納しＬＣＤ表示器が取り付けられた計器本体とを備えたことを特徴とする。
【発明の効果】
【０００７】
本発明によれば、測定値や各種パラメータなどの表示データの表示方向を、例えば、標準方向（水平方向）、９０度、２７０度、１８０度と、９０度毎に４段階で変更でき、このため計器本体を測定管路に設置する場合であっても、対象システムや設置スペースにあわせて設置できる。また、設置位置で一番最適な表示方向を選択することで視認性を大幅に向上することができる。また、表示方向の選択も、押しボタンスイッチなどによる手動選択や重力センサーなどによる自動選択から適用することができる。
【発明を実施するための最良の形態】
【０００８】
（第１の実施の形態）
図１は本発明の第１の実施の形態に係わる計器用ＬＣＤ表示装置の構成図である。計器用ＬＣＤ表示装置１１は、計器本体１２内にＡ／Ｄ変換部１３および表示方向変換手段１４を有し、計器本体１２の前面部にＬＣＤ表示器１５と、複数個の押しボタンスイッチ１６ａ、１６ｂ、１６ｃを有している。
【０００９】
Ａ／Ｄ変換部１３は、外部に接続された機器や各種センサを装備した検出部から得られる電気信号をＡ／Ｄ変換するものであり、Ａ／Ｄ変換部１３でのＡ／Ｄ変換後のデジタルデータはＬＣＤ表示器１５に表示される。また、表示方向変換手段１４は押しボタンスイッチ１６ａ、１６ｂ、１６ｃの操作に基づきＬＣＤ表示器１５に表示する表示データの表示方向を変更するものである。
【００１０】
すなわち、外部に接続された機器からの計装用統一信号（４〜２０ｍＡ直流電流）や接点信号などの電気信号、各種センサを装備した検出部から得られる電気信号を受け取り、受け取った電気信号をＡ／Ｄ変換部１３でＡ／Ｄ変換し、Ａ／Ｄ変換後のデジタルデータを測定値やパラメータなどとしてＬＣＤ表示器１５に表示する。
【００１１】
表示方向の変更は、計器本体１２のＬＣＤ表示器１５に表示される表示設定用メニューを、押しボタンスイッチ１６ａ〜１６ｃで操作することにより決定する。表示方向変換手段１４は、複数個の押しボタンスイッチ１６ａ〜１６ｃの操作内容に基づいて、ＬＣＤ表示器１５に表示する表示データの表示方向を四方向に変える。
【００１２】
図２は、ＬＣＤ表示器１５に表示する表示データの表示方向を標準方向（水平方向）に対して、右に９０度回転させて表示した場合の表示画面の平面図である。測定値や各種パラメータなどの表示方向が右に９０度回転している。
【００１３】
図３は、ＬＣＤ表示器１５に表示する表示データの表示方向を標準方向（水平方向）に対して、１８０度回転させて表示した場合の表示画面の平面図である。測定値や各種パラメータなどの表示方向が右に１８０度回転（上下反転）している。
【００１４】
図４は、ＬＣＤ表示器１５に表示する表示データの表示方向を標準方向（水平方向）に対して、左に９０度（右に２７０度）回転させて表示した場合の表示画面の平面図である。測定値や各種パラメータなどの表示方向が左に９０度（右に２７０度）回転している。
【００１５】
図５は、ＬＣＤ表示器１５に表示する表示データの表示方向を標準方向（水平方向）に表示した場合の表示画面の平面図である。
【００１６】
このように、図２の９０度、図３の１８０度、図４の２７０度、および図５の標準方向の四方向に変更可能とすることで、ＬＣＤ表示器１５の表示方向に制限されずに計器本体１２を設置することが可能となる。また、計器本体１２を設置後に再設置の必要が発生した場合でもＬＣＤ表示器１５の表示方向に制限されずに計器本体１２を再設置することが可能となる。なお、押しボタンスイッチ１６の数は、図１では３個を示しているが３個に限定されない。
【００１７】
第１の実施の形態によれば、ＬＣＤ表示器１５の表示方向を変更できるので、計器本体１２の設置方向に関係なくＬＣＤ表示器１５に表示された表示データを見えやすい方向に表示できる。
【００１８】
（第２の実施の形態）
図６は本発明の第２の実施の形態に係わる計器用ＬＣＤ表示装置の構成図である。この第２の実施の形態は、図１に示した第１の実施の形態に対し、押しボタンスイッチ１６ａ〜１６ｃに代えて、計器本体１２の前面部またはＡ／Ｄ変換部１３のいずれかに重力センサー１７ａ、１７ｂを取り付け、表示方向変換手段１４は、取り付けられた重力センサー１７ａ、１７ｂの検出信号に基づいてＬＣＤ表示器１５に表示する表示データの表示方向を四方向に変えるようにしたものである。図６では、計器本体１２の前面部およびＡ／Ｄ変換部１３の双方に重力センサー１７ａ、１７ｂを取り付けた場合を示している。図１と同一要素には同一符号を付し重複する説明は省略する。
【００１９】
図６において、計器本体１２の前面部またはＡ／Ｄ変換部１３のいずれかに取り付けられた重力センサー１７ａ、１７ｂにより、計器本体１２が取り付けられた方向を自動検知する。重力センサー１７ａ、１７ｂが発する電気信号を表示方向変換手段１４に入力し、表示方向変換手段１４が持つソフトウェアにより読み取り、取り付け方向を自動的に判別する。それと共に、その結果から取り付け方向に最適な表示方向を判断して表示座標データを変換処理し、その表示座標データをＬＣＤ表示器１５に送る。これにより、自動的に測定値や各種パラメータなどの表示方向を四方向に変更して表示する。
【００２０】
第２の実施の形態によれば、重力センサー１７ａ、１７ｂで検出された重力方向に基づき表示方向変換手段１４が自動でＬＣＤ表示器１５の表示データの表示方向を変更するので、人による表示データの表示方向の設定が不要となる。
【００２１】
（第３の実施の形態）
図７は本発明の第３の実施の形態に係わる計器用ＬＣＤ表示装置におけるＬＣＤ表示器への表示データの表示方向の設定の仕方の説明図である。この第３の実施の形態は、図１に示した第１の実施の形態に対し、押しボタンスイッチ１６ａ〜１６ｃに代えて、ＬＣＤ表示器１５にタッチパネル１８を搭載し、タッチパネルを四方向のいずれかに向かって指やタッチペンなどでなぞって、ＬＣＤ表示器１５への表示データの表示方向を設定するようにしたものである。
【００２２】
表示方向変換手段１４は、タッチパネル１８を四方向のいずれかに向かって指やタッチペンなどでなぞった軌跡に基づいて、ＬＣＤ表示器１５に表示する表示データの表示方向をなぞった方向に変える。
【００２３】
図７に示すように、タッチパネル１８を四方向のいずれかに向かって指やタッチペンなどでなぞる。タッチパネル１８から得られるタッチした座標点を表示方向変換手段１４のソフトウェアが解析し、測定値や各種パラメータの表示方向をなぞった方向に変更する。これにより、ＬＣＤ表示器１５の表示方向を四方向に変更可能とすることができる。
【００２４】
第３の実施の形態によれば、タッチパネル１８を四方向のいずれかに向かって指やタッチペンなどでなぞるだけで表示データの表示方向を変更できるので、表示データの表示方向の設定が容易にできる。
【００２５】
（第４の実施の形態）
図８は本発明の第４の実施の形態に係わる計器用ＬＣＤ表示装置におけるＬＣＤ表示器への表示データの表示方向の設定の仕方の説明図である。この第４の実施の形態は、図１に示した第１の実施の形態に対し、押しボタンスイッチ１６ａ〜１６ｃに代えて、ＬＣＤ表示器１５にタッチパネル１８を搭載し、タッチパネル１８の四方いずれかの一辺付近の隅エリア１９を指やタッチペンなどでタッチしてＬＣＤ表示器１５への表示データの表示方向を設定するようにしたものである。
【００２６】
表示方向変換手段１４は、タッチパネル１８の四方いずれかの一辺付近のエリア１９を指やタッチペンなどでタッチしたことに基づいて、ＬＣＤ表示器１５に表示する表示データの表示方向をタッチした方向に変える。
【００２７】
図８において、ＬＣＤ表示器１５にモノクロまたはカラーのタッチパネル１８を装備する。そして、図８のようにタッチパネル１８の四辺の隅エリア１９のいずれかを指やタッチペンなどでタッチする。表示方向変換手段１４は、タッチパネル１８から得られるタッチした座標点をソフトウェアにより解析し、測定値や各種パラメータの表示方向をタッチした方向のいずれかに変更する。これにより、ＬＣＤ表示器１５の表示方向を四方向に変更可能とする。
【００２８】
第４の実施の形態によれば、タッチパネル１８の四辺の隅のエリア１９のいずれかを指やタッチペンなどでタッチするだけで表示データの表示方向を変更できるので、表示データの表示方向の設定が容易にできる。
【００２９】
（第５の実施の形態）
図９は本発明の第５の実施の形態に係わる計器用ＬＣＤ表示装置の構成図である。この第５の実施の形態は、図１に示した第１の実施の形態に対し、複数個の押しボタンスイッチ１６ａ〜１６ｃに代えて、ＬＣＤ表示器と同じ面に１個の押しボタンスイッチ１６を設け、表示方向変換手段１４は、押しボタンスイッチ１６が１回押されるたびにＬＣＤ表示器１５に表示する表示データの表示方向を９０度ごと変えるようにしたものである。図１と同一要素には同一符号を付し重複する説明は省略する。
【００３０】
図９において、ＬＣＤ表示器１５と同じ面に１個の押しボタンスイッチ１６をを設け、この１個の押しボタンスイッチ１６を１回押すたびに発せられる電気信号を表示方向変換手段１４のソフトウェアがカウントし、そのカウント数によって測定値や各種パラメータなどの表示方向を９０度ごとに変更する。これにより、ＬＣＤ表示器１５の表示方向を四方向に変更可能とする。
【００３１】
第５の実施の形態によれば、第１の実施の形態に効果に加え、１個の押しボタンスイッチでＬＣＤ表示器１５の表示方向を変更できるので、第１の実施の形態に対し押しボタンスイッチを省略できる。
【００３２】
（第６の実施の形態）
図１０は、本発明の第６の実施の形態に係わる計器用ＬＣＤ表示装置の構成図である。この第６の実施の形態は、図１に示した第１の実施の形態に対し、複数個の押しボタンスイッチ１６ａ〜１６ｃに代えて、ＬＣＤ表示器と同じ面の四方に４個の押しボタンスイッチ１６ａ〜１６ｄを有し、表示方向変換手段１４は、これら４個の押しボタンスイッチ１６ａ〜１６ｄのいずれかが押されたときは、その押された押しボタンスイッチ１６の方向にＬＣＤ表示器１５に表示する表示データの表示方向を変えるようにしたものである。図１と同一要素には同一符号を付し重複する説明は省略する。
【００３３】
図１０において、ＬＣＤ表示器１５の四方に合計４個の押しボタンスイッチ１６ａ〜１６ｄを有し、押しボタンスイッチ１６ａ〜１６ｄのいずれかを押すことで、押した押しボタンスイッチ１６から発せられる電気信号を表示方向変換手段１４のソフトウェアで読み取り、どの押しボタンスイッチ１６が押されたかを判別する。そして、表示データの座標を変換処理し、その結果をＬＣＤ表示器１５に送ることで、押した押しボタンスイッチ１６の方向に測定値や各種パラメータなどの表示方向を変更可能とする。
【００３４】
第６の実施の形態によれば、第１の実施の形態の効果に加え、４個の押しボタンスイッチ１６ａ〜１６ｄにより、その配置方向に対応した方向にＬＣＤ表示器１５に表示される表示データの表示方向を変更できるので、表示方向の変更の操作を間違えることが少なくなる。
【００３５】
（第７の実施の形態）
図１１は、本発明の第７の実施の形態に係わる計器用ＬＣＤ表示装置の構成図である。この第７の実施の形態は、図１に示した第１の実施の形態に対し、複数個の押しボタンスイッチ１６ａ〜１６ｃに代えて、ＬＣＤ表示器１５またはＡ／Ｄ変換部を収納する計器本体１２のいずれかにダイヤル式スイッチ２０ａ、２０ｂを搭載し、表示方向変換手段１４は、ダイヤル式スイッチ２０ａ、２０ｂの回動に基づいて、ＬＣＤ表示器１６に表示する表示データの表示方向を四方向のいずれかに変えるようにしたものである。図１と同一要素には同一符号を付し重複する説明は省略する。
【００３６】
図１１において、ＬＣＤ表示器１５または器具本体１２のいずれかにダイヤル式スイッチ２０ａ、２０ｂを設け、ダイヤル式スイッチ２０ａ、２０ｂを回すことで変わる抵抗値により変化する電気信号を表示方向変換手段１４のソフトウェアで読み取る。そして、電気信号の大きさからダイヤル式スイッチ２０ａ、２０ｂがどの向きに回されたかを判別し、ダイヤル式スイッチ２０ａ、２０ｂの向きに一番近い方向に表示データの座標を変換処理し、その座標データをＬＣＤ表示器１５に送る。これにより、測定値や各種パラメータなどの表示方向をダイヤル式スイッチ２０ａ、２０ｂで指定された方向にＬＣＤ表示器１５に表示データを表示する。
【００３７】
第７の実施の形態によれば、第１の実施の形態に効果に加え、ダイヤル式スイッチ２０により指定された方向にＬＣＤ表示器１５に表示される表示データの表示方向を変更できるので、表示方向の設定の誤操作が少なくなる。
【００３８】
（第８の実施の形態）
図１２は、本発明の第８の実施の形態に係わる計器用ＬＣＤ表示装置におけるＬＣＤ表示器１５と計器本体１２との結合部の説明図である。この第８の実施の形態は、ＬＣＤ表示器１５を計器本体１２に取り付ける際に、ＬＣＤ表示器１５の四方にあるネジ穴２１ａ〜２１ｄのうち向かい合った計器本体１２のネジ穴２２ａ〜２２ｄのうちの２箇所でネジ止めし、表示方向変換手段１４は、２カ所のネジ止め部の導通によって生じる電気信号によりＬＣＤ表示器１５に表示する表示データの表示方向を決めるようにしたものである。
【００３９】
図１２において、ＬＣＤ表示器１５と計器本体１２とを取り付ける際に、ＬＣＤ表示器１５の四方にあるネジ穴２１ａ〜２１ｄと計器本体１２の向かい合ったネジ穴２２ａ〜２２ｄにネジを通してネジ止めして取り付ける。この４個のネジ穴２１ａ〜２１ｄのうちの向かい合った２個のネジ穴２２ｂ、２２ｄにてＬＣＤ表示器１５を計器本体１２にネジ止めする。これにより、金属性のネジにより向かい合ったネジ穴２２ｂ、２２ｄがＬＣＤ表示器１５の裏側を通り短絡状態となる。
【００４０】
図１３は、ＬＣＤ表示器１５の背面図である。図１３に示すように、ネジ穴２２ｂ、２２ｄが短絡されることによりＬＣＤ表示器１５の裏側を通る電気回路２３が形成され、この電気回路２３を介して導通する。表示方向変換手段１４は、発生する電気信号を入力しソフトウェアで解析することにより、測定値や各種パラメータなどの表示方向を自動的に判別し、ＬＣＤ表示器１５の表示方向を四方向に変更可能とする。
【００４１】
第８の実施の形態によれば、ＬＣＤ表示器１５を計器本体１２に取り付ける際に形成される電気回路２３により、ＬＣＤ表示器１５に表示される表示データの表示方向を設定できるので、表示方向の設定が確実に行える。
【００４２】
（第９の実施の形態）
図１４は、本発明の第９の実施の形態に係わる計器用ＬＣＤ表示装置の構成図である。この第９の実施の形態は、ＬＣＤ表示器１５および計器本体１２を丸形に形成すると共に、その丸型ＬＣＤ表示器１５の側面部にスライドスイッチ２４を設け、表示方向変換手段１４は、スライドスイッチ２４の回動に基づいて、ＬＣＤ表示器１５に表示する表示データの表示方向を変えるようにしたものである。
【００４３】
図１４において、特に計器本体１２が丸型のケース構造である場合においては、丸型の計器本体１２の側面部に取り付けられたスライドスイッチ２４を回すことにより、計器本体１２の内部に電気信号が発せられ、計器本体１２の表示方向変換手段１４のソフトウェアはその電気信号を読み取り操作内容を判断する。
【００４４】
図１５はスライドスイッチ２４の断面図である。図１５のようにスライドスイッチ２４の裏面の突起物２５が、計器本体１２側レールのスイッチ２６を押すことにより、計器本体１２内部に電気信号が発せられ、計器本体１２の表示方向変換手段１４のソフトウェアは、その電気信号を読み取り、レールのどのスイッチ２６が押されて発せられる電気信号かを判別する。これにより、スライドスイッチ２４の位置を特定し、その結果から測定値や各種パラメータなどの表示方向を四方向に変更可能とする。
【００４５】
第９の実施の形態によれば、計器本体１２が丸型のケース構造である場合においては、スライドスイッチ２４を回すことにより、ＬＣＤ表示器１５の表示方向を変更できる。
【図面の簡単な説明】
【００４６】
【図１】本発明の第１の実施の形態に係わる計器用ＬＣＤ表示装置の構成図。
【図２】本発明の第１の実施の形態におけるＬＣＤ表示器に表示する表示データの表示方向を標準方向（水平方向）に対して右に９０度回転させて表示した場合の表示画面の平面図。
【図３】本発明の第１の実施の形態におけるＬＣＤ表示器に表示する表示データの表示方向を標準方向（水平方向）に対して１８０度回転させて表示した場合の表示画面の平面図。
【図４】本発明の第１の実施の形態におけるＬＣＤ表示器に表示する表示データの表示方向を標準方向（水平方向）に対して左に９０度（右に２７０度）回転させて表示した場合の表示画面の平面図。
【図５】本発明の第１の実施の形態におけるＬＣＤ表示器に表示する表示データの表示方向を標準方向（水平方向）に表示した場合の表示画面の平面図。
【図６】本発明の第２の実施の形態に係わる計器用ＬＣＤ表示装置の構成図。
【図７】本発明の第３の実施の形態に係わる計器用ＬＣＤ表示装置におけるＬＣＤ表示器への表示データの表示方向の設定の仕方の説明図。
【図８】本発明の第４の実施の形態に係わる計器用ＬＣＤ表示装置におけるＬＣＤ表示器への表示データの表示方向の設定の仕方の説明図。
【図９】本発明の第５の実施の形態に係わる計器用ＬＣＤ表示装置の構成図。
【図１０】本発明の第６の実施の形態に係わる計器用ＬＣＤ表示装置の構成図。
【図１１】本発明の第７の実施の形態に係わる計器用ＬＣＤ表示装置の構成図。
【図１２】本発明の第８の実施の形態に係わる計器用ＬＣＤ表示装置におけるＬＣＤ表示器と計器本体との結合部の説明図。
【図１３】本発明の第８の実施の形態におけるＬＣＤ表示器１５の背面図。
【図１４】本発明の第９の実施の形態に係わる計器用ＬＣＤ表示装置の構成図。
【図１５】本発明の第９の実施の形態におけるスライドスイッチの断面図。
【符号の説明】
【００４７】
１１…計器用ＬＣＤ表示装置、１２…計器本体、１３…Ａ／Ｄ変換部、１４…表示方向変換手段、１５…ＬＣＤ表示器、１６…押しボタンスイッチ、１７…重力センサー、１８…タッチパネル、１９…隅エリア、２０…ダイヤル式スイッチ、２１…ネジ穴、２２…ネジ穴、２３…電気回路、２４…スライドスイッチ、２５…突起物、２６…スイッチ
【図１】
2007101825.tif 000003
【図２】
2007101825.tif 000004
【図３】
2007101825.tif 000005
【図４】
2007101825.tif 000006
【図５】
2007101825.tif 000007
【図６】
2007101825.tif 000008
【図７】
2007101825.tif 000009
【図８】
2007101825.tif 000010
【図９】
2007101825.tif 000011
【図１０】
2007101825.tif 000012
【図１１】
2007101825.tif 000013
【図１２】
2007101825.tif 000014
【図１３】
2007101825.tif 000015
【図１４】
2007101825.tif 000016
【図１５】
2007101825.tif 000017